(57)【要約】【課題】乗員に対して個別に適切な芳香を提供可能とするシート空調装置を提供する。【解決手段】シートごとに設置可能なシート空調装置であって、シートごとに設けられた吹出口から空調空気を吹き出させて、このシートに着座している乗員を空調空気で包み込むシート空調を行う空調ユニット２０と、空調空気へ異なる種類の芳香を供給可能な芳香装置３０に放出させる芳香の種類を、シートに着座している乗員情報に基づいて決定し、決定した種類の芳香を芳香装置に放出させるシート側制御部１１と、を備える。【選択図】図５
2019098924.tif 000002
【特許請求の範囲】
【請求項１】
シート（１）ごとに設置可能なシート空調装置であって、
前記シートごとに設けられた吹出口（２、３、４、５、６）から空調空気を吹き出させて、当該シートに着座している乗員を当該空調空気で包み込むシート空調を行う空調ユニット（２０）と、
前記空調空気へ異なる種類の芳香を供給可能な芳香装置（３０）に放出させる芳香の種類を、当該シートに着座している乗員情報に基づいて決定し、当該決定した種類の芳香を前記芳香装置に放出させる制御部（１１）と、
を備えるシート空調装置。
【請求項２】
前記制御部は、前記シートごとに設けられた臭い検出装置（４０）により検出された前記乗員の臭いを前記乗員情報として用いて、前記芳香装置に放出させる芳香の種類を決定する、請求項１に記載のシート空調装置。
【請求項３】
前記制御部は、前記臭い検出装置により検出された前記乗員の臭いに基づいて、前記乗員が男性か女性であるかを判定する性別判定を実行し、前記性別判定の判定結果に応じて、前記芳香装置に放出させる芳香の種類を決定する請求項２に記載のシート空調装置。
【請求項４】
前記芳香装置は、各種類の芳香について放出する芳香の強さを調整可能であり、
前記制御部は、前記シートに着座している乗員を包み込んでいる前記空調空気に含まれている前記芳香の種類及び強さ並びに不快臭の強さを、当該シートごとに設けられた臭い検出装置（４０）から取得可能であり、
前記制御部は、前記不快臭の強さを示す不快臭レベルが大きいほど、前記乗員を包み込む空調空気に含ませる前記芳香の強さの目標値を示す目標芳香レベルとして大きな目標芳香レベルを決定し、
前記制御部は、前記臭い検出装置により検出される前記芳香の強さを示す芳香検出レベルが前記目標芳香レベルとなるように、前記芳香装置に放出させる前記芳香の強さを制御する、請求項１ないし３何れか一項に記載のシート空調装置。
【請求項５】
前記制御部は、
前記芳香装置に前記芳香の放出を開始させてから、前記芳香検出レベルが前記目標芳香レベルに達したと判定するまで、前記空調ユニットを強吹出モードで作動させて、前記吹出口からの吹き出し空気風量を強風量にし、
前記芳香検出レベルが前記目標芳香レベルに達したと判定すると、前記空調ユニットを通常モードで作動させて、前記吹き出し空気風量を前記強風量よりも小さくさせる、請求項４に記載のシート空調装置。
【請求項６】
前記シートごとに、前記乗員を包み込む前記空調空気を吸い込む吸込口（９）が設けられており、
前記制御部は、前記芳香検出レベルが、隣のシートの乗員にまで影響を及ぼすと推定される隣席影響レベル以上である場合、当該芳香検出レベルが当該隣席影響レベルより小さい場合と比べて前記空調空気を前記吸込口から強く吸い込ませる、請求項４又は５に記載のシート空調装置。
【請求項７】
前記制御部は、前記目標芳香レベルが前記隣席影響レベル以上であると判定した場合には、前記芳香装置に前記芳香の放出を開始させてから、前記芳香検出レベルが前記目標芳香レベルに達したと判定するまで、前記空調ユニットを強吹出モードで作動させる一方、前記目標芳香レベルが前記隣席影響レベルよりも小さいと判定した場合、前記芳香検出レベルが前記目標芳香レベルに達しているか否かによらず、前記芳香装置の芳香放出開始時から前記空調ユニットを通常モードで作動させる、請求項６に記載のシート空調装置。
【請求項８】
前記制御部は、前記臭い検出装置（４０）により検出された前記芳香の種類及び強さを表示部に表示させると共に、前記空調空気に含ませる芳香の種類及び強さについての乗員指示を受け付け、
前記制御部は、受け付けた前記乗員指示に基づいて、前記芳香装置に放出させる芳香の種類及び強さを決定する、請求項４ないし７何れか一項に記載のシート空調装置。
【発明の詳細な説明】
【技術分野】
【０００１】
この明細書における開示は、シート空調装置に関する。
【背景技術】
【０００２】
特許文献１には、車両ユーザを楽しませる或いはユーザにサービスするための自動車用もてなしシステムが記載されている。このシステムは、車内に芳香剤を放出する芳香発生部を備える。特許文献１のシステムでは、運転者の生体特定情報に応じて、車室内に芳香を放出する。
【先行技術文献】
【特許文献】
【０００３】
【特許文献１】特許第４５７２８８９号公報
【発明の概要】
【発明が解決しようとする課題】
【０００４】
特許文献１には、運転者の情報に基づいて車室内に芳香を放出することは記載されている。特許文献１には、車室内に芳香を放出するとの記載があるのみで、放出した芳香の広がりを制御する記載はない。車室内に芳香を放出し、芳香の広がりを特に制御しない場合、車室内に放出した芳香は、車室内の全体に広がる。
【０００５】
この場合、一つの芳香発生部から放出された芳香を、運転者及び同乗者からなる車両の乗員すべてが嗅ぎうる。この芳香は、運転者の情報に基づいて放出されているので運転者に適しているかもしれないが、同乗者に適しているとは限らない。
【０００６】
また、運転者が誰であるかは車両により異なり、同じ車両でも、いつも同じ者が運転者となる訳ではない。特許文献１に開示された技術では、芳香は、発生量が調整されるのみである。芳香の発生量が調整されるだけでは、運転者にとっても、適した芳香になるとは限らない。
【０００７】
以上のことから、特許文献１に開示された技術では、車両の乗員が、運転者であっても、また、同乗者であっても、乗員に適した芳香を提供することが困難である。
【０００８】
なお、以上の困難性は、自動車、バス等の車両の車室内を芳香剤で香り付ける場合のみならず、複数のシートが設けられた空間を芳香剤で香り付ける場合、例えば複数のシートが設けられた飛行機の客室を芳香剤で香り付ける場合、にも同様に生じうる。
【０００９】
この明細書における開示は、乗員に対して個別に適切な芳香を提供可能とするシート空調装置を提供することを目的とする。
【課題を解決するための手段】
【００１０】
上記目的を達成するためのシート空調装置の一例は、
シート（１）ごとに設置可能なシート空調装置であって、
シートごとに設けられた吹出口（２、３、４、５、６）から空調空気を吹き出させて、このシートに着座している乗員を空調空気で包み込むシート空調を行う空調ユニット（２０）と、
空調空気へ異なる種類の芳香を供給可能な芳香装置（３０）に放出させる芳香の種類を、シートに着座している乗員情報に基づいて決定し、決定した種類の芳香を芳香装置に放出させる制御部（１１）と、
を備えるシート空調装置である。
【００１１】
この構成によれば、シートごとに設けられた吹出口から吹き出されてこのシートに着座している乗員を包み込む空調空気に芳香を含ませることができる。よって、各シートひいては各シートに着座している各乗員に対して個別に異なる芳香を提供可能となる。
【００１２】
また、シート別の空調であるシート空調を行っていることから、他のシートで提供されている芳香の影響を受けにくい。したがって、不適切な芳香が提供されてしまうことが抑制される。さらに、制御部は、シートに着座している乗員情報に基づいて、芳香装置から供給されて空調空気に含ませる芳香の種類を決定し、この決定した種類の芳香を芳香装置に放出させる。よって、各シートひいては各シートに着座している各乗員に対して個別に適切な芳香を提供可能となる。
【００１３】
なお、上記括弧内の参照番号は、理解を容易にすべく、後述する実施形態における具体的な構成との対応関係の一例を示すものにすぎず、なんら技術的範囲を制限することを意図したものではない。
【図面の簡単な説明】
【００１４】
【図１】シート空調システム１００が適用される車両の説明図である。
【図２】シート空調を説明する説明図である。
【図３】シート空調用のシート１の外観を示す図である。
【図４】シート空調用のシート１内部の吹出用ダクトを示す図である。
【図５】シート空調システム１００の構成を示すブロック図である。
【図６】空調ユニット２０の構成を示す模式図である。
【図７】芳香装置３０の構成を示す断面図である。
【図８】芳香装置３０による芳香の放出を説明する説明図である。
【図９】第１実施形態のシート別芳香制御処理を示すフローチャートである。
【図１０】芳香種類選択マップを説明する説明図である。
【図１１】芳香強さ調節マップを説明する説明図である。
【図１２】第２実施形態のシート別芳香制御処理を示すフローチャートである。
【発明を実施するための形態】
【００１５】
以下、図面を参照しつつ、シート空調装置２００を備えるシート空調システム１００を説明する。
【００１６】
（第１実施形態）
シート空調システム１００は、図１に示すように、シート空調用のシート１を複数備える車両に適用される。車両には、乗用車だけでなく、バス、電車なども含まれ、シート空調システム１００は、複数のシートを備えた車両で用いられる。
【００１７】
シート空調用の各シート１は、図２に示すように、このシート１ごとに設けられた空調ユニット２０と共に用いられ、シート空調により乗員の快適性を高める。快適性を高める制御の一つは空調空気を吹き出す制御である。この制御では、具体的には、ＥＣＵ１０又は携帯端末３００からの指示に応じて空調ユニット２０から送風された空気が、シート１に着座している乗員に向けて吹き出される。シート１の構造は、例えば次の通りである。
【００１８】
＜シート１の構成＞
各シート１は、図３に示すように、大別すると背当部１ａと、着座部１ｂと、ヘッドレスト１ｃと、アームレスト１ｄと、台座１ｅと、を備える。
【００１９】
ヘッドレスト１ｃの左右両端には、乗員の頭部に向けて空気を吹き出す一対の頭部吹出口２が設けられている。背当部１ａの左右両側には、乗員の上半身に向けて空気を吹き出す一対の上半身側部吹出口３が設けられている。
【００２０】
アームレスト１ｄには、乗員の大腿部に向けて空気を吹き出す一対の大腿部吹出口４が設けられている。台座１ｅの前面には、乗員の足元に向けて空気を吹き出す足元吹出口５が設けられている。図４に示すように、背当部１ａのシート表面には、乗員の背部全体に向けて空気を吹き出す背部吹出口６設けられている。
【００２１】
シート１には、空調ユニット２０から送風された空気を吹出口２〜６に導く吹出用ダクト７が形成されている。吹出用ダクト７は、第１吹出用ダクト７ａと、第２吹出用ダクト７ｂと、を備える。
【００２２】
第１吹出用ダクト７ａは、空調ユニット２０から送風された空気を頭部吹出口２及び上半身側部吹出口３に供給するダクトである。吹出用ダクト７ｂは、空調ユニット２０から送風された空気を、大腿部吹出口４及び足元吹出口５に供給するダクトである。
【００２３】
台座１ｅの前面には、乗員の足元から空気を吸い込み可能な吸込口９が設けられている。吸込口９は、シート１に設けられた吸込用ダクト９ａを通じて空調ユニット２０の空気取入口と連通している。空調ユニット２０が後述の第２送風機２４ａを駆動することにより、シート１前方の空気が吸込口９及び吸込用ダクト９ａを通じて空調ユニット２０に吸い込まれる。なお、空調ユニット２０は、吸込口９及び吸込用ダクト９ａを通じて内気を吸い込む空気取入口に加えて、外気を吸い込む他の空気取入口を有してもよい。
【００２４】
＜シート空調システム１００の全体構成＞
本実施形態のシート空調システム１００は、シート１に着座している各乗員に対して、シート空調に加えて個別に異なる芳香を提供する。以下、シート空調システム１００の構成を説明する。
【００２５】
図５に示すように、シート空調システム１００は、シート１別に設置されるシート空調装置２００と、各シート１に着座する乗員に携帯される携帯端末３００と、により構成される。
【００２６】
＜シート空調装置２００の全体構成＞
シート空調装置２００は、図５に示すように、ＥＣＵ１０と、空調ユニット２０と、芳香装置３０と、臭い検出装置４０と、シート側ＨＭＩ５０と、備える。
【００２７】
＜ＥＣＵ１０の構成＞
ＥＣＵ１０は、シート空調装置２００の作動を制御する機能と、携帯端末３００と通信する機能と、を備えた電子制御装置である。
【００２８】
図５に示すように、ＥＣＵ１０は、シート側制御部１１と、記憶部１２と、シート側通信部１３と、を備える。
【００２９】
シート側制御部１１は、ＣＰＵ、ＲＯＭ、ＲＡＭ等を備えたマイクロコンピュータを主体として構成される。シート側制御部１１は、ＲＯＭ等のメモリに記憶された各種プログラムをＣＰＵ等のプロセッサが実行することで、後述するシート別芳香制御処理を含む各種制御処理を実行する機能を有する。シート側制御部１１の機能の少なくとも一部は、専用のＩＣ等によって提供されてもよい。シート側制御部１１は、制御部に対応する。
【００３０】
記憶部１２は、シート別芳香制御処理で用いられる後述の芳香種類選択マップ及び芳香強さ調節マップを記憶している。
【００３１】
シート側通信部１３は、乗員に携帯される携帯端末３００との間で、例えばＵＳＢ等による有線通信或いはＢｌｕｅｔｏｏｔｈ（登録商標）等による無線通信を行う機能を有する。また、シート側通信部１３は、インターネット通信を行う機能を有し、サーバ等を経由して携帯端末３００と通信可能な構成であってもよい。
【００３２】
シート側通信部１３は、シート側制御部１１の制御の下で、シート空調装置２００の作動状態等を携帯端末３００に送信する。またシート側通信部１３は、携帯端末３００から送信されたシート空調装置２００の作動指示等を受信して、シート側制御部１１に入力する。
【００３３】
＜空調ユニット２０の構成＞
空調ユニット２０は、シート１ごとに設けられて、そのシート１に着座している乗員に対するシート空調を、シート側制御部１１の制御の下で行う。空調ユニット２０は、例えば図４に示すように台座１ｅに収容される。
【００３４】
空調ユニット２０は、図６に示すように、冷凍サイクル装置２０ａと、加熱装置２５と、第１送風機２２ａと、第２送風機２４ａと、を備える。
【００３５】
冷凍サイクル装置２０ａは、圧縮機２１と、凝縮器２２と、減圧部２３と、蒸発器２４と、を備える。
【００３６】
圧縮機２１は、車載バッテリから供給された直流電圧で駆動される電動圧縮機であり、冷媒を圧縮して冷媒温度を上昇させる。圧縮機２１により圧縮された冷媒は、凝縮器２２に供給される。
【００３７】
凝縮器２２には、空気が第１送風機２２ａにより送風される。凝縮器２２は、この送風された空気に冷媒の熱を放熱させる。凝縮器２２で放熱された冷媒は、減圧部２３に供給される。減圧部２３において冷媒は、固定絞りで減圧される。減圧部２３で減圧された冷媒は、蒸発器２４に提供される。
【００３８】
蒸発器２４において冷媒は、第２送風機２４ａにより送風された空気を冷却する。これにより空気が冷風となって吹出用ダクト７（図４参照）に供給される。蒸発器２４で冷却された冷媒は、圧縮機２１に提供される。
【００３９】
このように冷媒が冷凍サイクル装置２０ａを循環しつつ、第２送風機２４ａにより送風された空気が冷却されて冷風が吹出用ダクト７に供給される。なお、第２送風機２４ａは、吸込用ダクト９ａ通じてシート１前方の空気を吸い込み、この空気を蒸発器２４及び後述の加熱装置２５に向けて送風し、蒸発器２４及び後述の加熱装置２５を通過した空気を吹出用ダクト７に供給する。
【００４０】
加熱装置２５は、ＰＴＣヒータ、熱線式ヒータ等からなる電気ヒータであり、第２送風機２４ａにより送風された空気を加熱する。これにより、空気が温風となって吹出用ダクト７に向けて供給される。
【００４１】
なお、冷房も暖房をしない送風時には、空調ユニット２０は、冷凍サイクル装置２０ａ及び加熱装置２５をオフにしつつ、空気を吹出用ダクト７に送風して、シート１の吹出口２−６から吹き出させる。冷房時、暖房時、及び冷房も暖房をしない送風時を含めて、空調ユニット２０から吹出用ダクト７に送風される空気を、空調空気を呼ぶ。
【００４２】
以上のようにシート１ごとに設けられた空調ユニット２０は、図３に示すように、シート別に、シート１の吹出用ダクト７に空調空気を送風して、この空調空気を、吹出口２〜６から、シート１に着座している乗員に向けて吹き出す。その結果、吹出口２〜６から吹き出された空気によって、図２の破線で示すように、シート１に着座している乗員を包み込むような空調空気の流れが発生する。このシート１ごとに発生する空調空気の流れの範囲を、本明細書では包込空調空間４００と呼ぶ（図２参照）。包込空調空間４００は、シート１ごとに形成される。
【００４３】
空調ユニット２０は、シート側制御部１１の制御の下で、包込空調空間４００の温度が設定温度に保たれるように、吹出口２−６から吹き出される空調空気の温度及び吹出風量を調整する。この制御は、乗員により設定される設定温度と、温度センサ（図示なし）により検出される包込空調空間４００の温度等に基づいて行われる。その結果、各シート１の包込空調空間４００の温度は、各シート１の設定温度が異なると、シート１ごとに異なる。
【００４４】
以上のようにシート１及び空調ユニット２０は、シート別に、このシート１に着座している乗員を、設定温度を有する空調空気で包み込むように構成される。なお、乗員を空調空気で包み込む空調を、包み込み空調とも呼ぶ。
【００４５】
また、各シート１には、図３に示すように、乗員の足元から空気を吸い込み可能な吸込口９が設けられている。吸込口９からの空気吸い込みにより、シート別の空調空気の流れである包込空調空間４００が他のシート１に着座している乗員に達することを制限している。さらに、吸込口９からの空気吸い込みにより、包込空調空間４００に含まれる後述の不快臭及び芳香が、他の乗員によって嗅がれることを制限している。
【００４６】
＜芳香装置３０の構成＞
芳香装置３０は、図５に示すように、第１芳香剤３１と、第２芳香剤３３と、備える。第１芳香剤３１と第２芳香剤３３とは、異なる芳香成分を含む。以下の説明では、第１芳香剤３１による芳香を第１芳香と呼び、第２芳香剤３３による芳香を第２芳香と呼ぶ。
【００４７】
芳香装置３０は、図２に示すようにシート１ごとに設けられる。芳香装置３０は、そのシート１の包込空調空間４００を第１芳香又は第２芳香で香り付ける。
【００４８】
芳香装置３０は、例えば、頭部吹出口２及び上半身側部吹出口３に空調空気を導く第１吹出用ダクト７ａに設けられる（図４参照）。芳香装置３０は、第１吹出用ダクト７ａを流れる空調空気に第１芳香又は第２芳香を放出する。これにより、第１芳香又は第２芳香が添加された空調空気が、頭部吹出口２及び上半身側部吹出口３から吹き出し、包込空調空間４００を香り付ける。
【００４９】
本実施形態の芳香装置３０は、第１芳香及び第２芳香から選択的に芳香を放出する機能に加えて、各種類の芳香について芳香の強さを調節可能である。この機能を実現するために、例えば次の構成を採用できる。
【００５０】
図７に示すように、芳香装置３０は、第１芳香剤３１と、第１容器３２と、第２芳香剤３３と、第２容器３４と、保持部材３５と、カバー３６と、アクチュエータ３９と、を備える。
【００５１】
第１芳香剤３１は、第１芳香成分を含む芳香ビーズ等からなる。第１芳香剤３１は、例えば男性向けのウッディ系の芳香で、空気を香り付ける。第１容器３２は、一端に第１容器開口３２Ａを有する有底筒状であり、第１芳香剤３１を収容している。
【００５２】
第２芳香剤３３は、第２芳香成分を含む芳香ビーズ等からなる。第２芳香剤３３は、例えば女性向けのフローラル系の芳香で、空気を香り付ける。第２容器３４は、第１容器３２と同様に、一端に第２容器開口３３Ａを有する有底筒状であり、第２芳香剤３３を収容している。
【００５３】
保持部材３５は、第１容器３２と第２容器３４とを着脱可能に保持する。説明の便宜上、第１容器３２及び第２容器３４が保持部材３５に保持された状態における各容器の底から容器開口に向かう方向を、＋ｚ方向と定義する（図７参照）。
【００５４】
カバー３６は、第１容器開口３２Ａ及び第２容器開口３３Ａの各々を、開閉する可動部材である。詳しくは、カバー３６は、アクチュエータ３９により、ｚ軸と垂直なｘ軸方向に変位することにより、第１容器開口３２Ａ及び第２容器開口３３Ａの各々を開閉する。カバー３６は、第１容器開口３２Ａと略同じ形及び大きさの第１芳香放出孔３７と、第２容器開口３３Ａと略同じ形及び大きさの第２芳香放出孔３８と、を有する。
【００５５】
カバー３６は、図７に示す芳香放出禁止位置に位置する場合、第１容器開口３２Ａ及び第２容器開口３３Ａを閉塞することにより、第１吹出用ダクト７ａ内の空気への第１芳香成分及び第２芳香成分の放出を禁止する。カバー３６が芳香放出禁止位置に位置する場合、第１芳香放出孔３７は第１容器開口３２Ａよりも−ｘ方向に位置し、第２芳香放出孔３８は第２容器開口３３Ａよりも＋ｘ方向に位置する。
【００５６】
図８に示すように、カバー３６は、芳香放出禁止位置から＋ｘ方向に変位させられて第１芳香放出位置になると、第１芳香放出孔３７を通じた第１芳香成分の第１吹出用ダクト７ａ内の空気への放出を許容する。第１芳香放出位置とは、第１芳香放出孔３７が第１容器開口３２Ａに重なる位置である。
【００５７】
第１芳香放出位置において、第１芳香放出孔３７と第１容器開口３２Ａとの重なりの大きさを、カバー３６のｘ方向に変位量により調整することで、第１吹出用ダクト７ａ内の空気に放出される第１芳香成分の量が調整される。これにより、包込空調空間４００に香り付けされる第１芳香の強さが調整される。
【００５８】
また図示しないが、カバー３６は、芳香放出禁止位置から−ｘ方向に変位させられ第２芳香放出位置になると、第２芳香放出孔３８を通じた第２芳香成分の第１吹出用ダクト７ａ内の空気への放出を許容する。
【００５９】
第２芳香放出位置において、第２芳香放出孔３８と第２容器開口３３Ａとの重なりの大きさを、カバー３６のｘ方向に変位量により調整することで、第２芳香放出孔３８を通じて放出される第２芳香成分の量が調整される。これにより、包込空調空間４００に香り付けされる第２芳香の強さが調整される。
【００６０】
アクチュエータ３９は、シート側制御部１１の制御の下で、上記のようにカバー３６をｘ方向に変位させることで、第１吹出用ダクト７ａ内の空気に放出される芳香の種類及び芳香の強さを調整する。これは見方を変えると、ＥＣＵ１０は、アクチュエータ３９を制御することで、カバー３６のｘ方向変位量を調整して、第１吹出用ダクト７ａ内の空気ひいては包込空調空間４００内の芳香の種類及び芳香の強さを調整する。
【００６１】
＜臭い検出装置４０の構成＞
図５の説明に戻る。臭い検出装置４０は、シート１ごとに設けられる。臭い検出装置４０は、シート１の包込空調空間４００の空気に含まれる、不快臭の強さと、第１芳香の強さと、第２芳香の強さと、検出する。臭い検出装置４０は、例えばアームレスト１ｄに設けられる。
【００６２】
臭い検出装置４０は、包込空調空間４００の空気に含まれる、乗員にとって不快な臭い成分の濃度と、第１芳香成分の濃度と、第２芳香成分の濃度と、を検出するための複数のガスセンサを備える。複数のガスセンサは、各成分の濃度に応じた検出信号をＥＣＵ１０に出力する。乗員にとって不快な臭い成分とは、例えば、シート１に付着している人間の汗或いは直接乗員から揮発した体臭成分や、たばこ臭成分などである。
【００６３】
これら複数のガスセンサからの検出信号に基づいて、ＥＣＵ１０により、不快臭検出レベルと、第１芳香検出レベルと、第２芳香検出レベルと、が検出される。不快臭検出レベルは、包込空調空間４００における不快臭の強さを示す指標であり、不快臭が強いほど高レベルである。同様に芳香検出レベルは、包込空調空間４００における芳香の強さを示す指標であり、芳香が強いほど高レベルである。
【００６４】
臭い検出装置４０を構成する複数のガスセンサは、例えば複数の水晶振動子ガスセンサ或いは複数の半導体ガスセンサによって構成することができる。
【００６５】
臭い検出装置４０は、さらに、シート１に着座している乗員が男性であるか女性であるかを検出するための臭い成分を検出する複数のガスセンサを備える。これら複数のガスセンサからの検出信号のパターンから、乗員の性別がＥＣＵ１０によって判定される。
【００６６】
＜シート側ＨＭＩ５０の構成＞
シート側ＨＭＩ５０は、シート１ごとに設けられ、そのシート１に着座している乗員の要求等をシート空調装置２００に伝達する。さらにシート側ＨＭＩ５０は、シート空調装置２００の作動状態等を乗員に対して例えば表示等により伝達する。シート側ＨＭＩ５０は、シート１に着座している乗員の手が届く位置、例えばアームレスト１ｄに設けられる。なお、ＨＭＩは、ヒューマンマシンインターフェイスの略称である。
【００６７】
シート側ＨＭＩ５０は、乗員が希望する空調の設定温度、芳香装置３０の芳香放出のオンオフ等、を入力するための操作部を備える。シート側ＨＭＩ５０は、現在の設定温度、芳香装置３０の芳香放出のオンオフ等を乗員に表示するための表示部をさらに備える。
【００６８】
＜携帯端末３００の構成＞
携帯端末３００は、通信機能とＨＭＩ機能とを有する端末であり、例えばスマートフォン、タブレット端末、ウェアブルデバイス等である。携帯端末３００は、図５に示すように、携帯側制御部３０１と、携帯側ＨＭＩ３０２と、携帯側通信部３０３と、を備える。
【００６９】
携帯側制御部３０１は、携帯側ＨＭＩ３０２及び携帯側通信部３０３を制御すると共に、各種アプリケーションを実行する。ここで言うアプリケーションとは、ダウンロード等により外部から提供されて携帯端末３００にインストールされたアプリケーションを含む。
【００７０】
携帯側ＨＭＩ３０２は、携帯端末３００と乗員との間のＨＭＩとして機能する。具体的には携帯側ＨＭＩ３０２は、乗員に操作される操作部と、乗員に情報を表示する表示部と、を備える。
【００７１】
携帯側通信部３０３は、ＥＣＵ１０のシート側通信部１３との間で、有線通信或いは無線通信を行う機能を有する。携帯側通信部３０３は、さらにインターネット通信を行う機能を有してもよい。携帯側通信部３０３は、サーバ等を経由してシート側通信部１３と通信可能な構成であってもよい。
【００７２】
携帯端末３００は、アプリケーションの一つとして、シート空調用アプリを導入可能である。シート空調用アプリは、携帯側通信部３０３とシート側通信部１３との間の通信接続が確立されている場合に、携帯端末３００をシート空調装置２００の作動を制御するリモコンとして機能させる。
【００７３】
シート空調用アプリは、携帯側ＨＭＩ３０２に入力されたシート空調装置２００に対する乗員の指示等をシート空調装置２００に伝達させる。シート空調装置２００に対する乗員の指示とは、例えば、乗員が希望する空調の設定温度、芳香装置３０の芳香放出のオンオフ、乗員が希望する包込空調空間４００内の芳香の種類及び強さ等である。
【００７４】
シート空調用アプリは、シート空調装置２００の作動状態等を携帯側ＨＭＩ３０２から乗員に表示させる。表示されるシート空調装置２００の作動状態とは、乗員が希望する空調の設定温度、芳香装置３０の芳香放出のオンオフ、包込空調空間４００内の芳香の種類及び強さ等である。
【００７５】
＜シート側制御部１１の機能＞
次に、ＥＣＵ１０のシート側制御部１１の機能を説明する。
【００７６】
シート側制御部１１は、例えば車両がイグニションオン状態になると、空調ユニット２０、芳香装置３０、臭い検出装置４０、及びシート側ＨＭＩ５０の電源をオンにし、これらの作動を開始させる。
【００７７】
シート側制御部１１は、車両がイグニションオン状態になった後、シート１に乗員が着座した判定するまでは、芳香装置３０からの芳香放出を禁止すると共に、設定温度を初期温度に設定して通常モードで空調ユニット２０を作動させる。
【００７８】
通常モードの空調ユニット２０は、包込空調空間４００の温度が設定温度に保たれるように、吹出口２−６からの吹き出し空気の温度及び風量を調整する。
【００７９】
初期温度は、快適と推定される温度であり、外気温等に基づいて設定される。初期温度は、すべてのシート１の空調ユニット２０に対して同じ温度が設定される。このように乗員がシート１に着座する前に、包込空調空間４００の温度を初期温度とすることで、乗員に対して着座直後から快適な温度環境を提供する。
【００８０】
なお、シート１がバスや電車等の指定席である場合、シート空調用アプリを用いて乗員が搭乗前に予め希望する初期温度をサーバ等に登録してもよい。この場合、シート側制御部１１は、シート側通信部１３を通じてサーバ等と通信して、乗員が希望する初期温度を取得して、この初期温度を設定温度として事前に空調ユニット２０による空調を行ってもよい。
【００８１】
なお、シート１に乗員が着座したか否かの着座判定の方法としては、様々な方法が採用できる。例えば、シート側制御部１１は、シート１に設けられた着座センサの出力に基づいて、着座判定を行っていてもよい。或いは、車両が指定席バスである場合、搭乗位置を示す指定席の予約状況と車両の現在位置等に基づいて、各シート１の着座を推定により判定してもよい。
【００８２】
シート側制御部１１は、シート１に乗員が着座した判定すると、図９に示すシート別芳香制御処理のフローに従って芳香装置３０により包込空調空間４００の香り付けを行う。このとき設定温度が乗員により再設定されると、包込空調空間４００の温度が再設定された設定温度となるように空調ユニット２０が作動する。
【００８３】
以下、図９を参照して、シート別芳香制御処理を説明する。
【００８４】
＜シート別芳香制御処理＞
Ｓ１１０でシート側制御部１１は、シート１に着座している乗員が男性であるか女性であるかの性別判定を実行する。性別判定の方法としては、様々な方法が採用できる。
【００８５】
例えばシート側制御部１１は、臭い検出装置４０の説明で記載したように、臭い検出装置４０により検出した乗員の臭いに基づいて、性別判定を実行してもよい。
【００８６】
或いは、シート側制御部１１は、乗員に対して性別の入力を促す旨をシート側ＨＭＩ５０に表示させて、シート側ＨＭＩ５０への性別入力を取得してもよい。或いは、シート１のシート側通信部１３と乗員の携帯端末３００との間に有線又は無線の通信接続が確立しており、且つ、携帯端末３００でシート空調用アプリが起動中の場合、携帯側ＨＭＩ３０２を通じて性別入力を促し取得してもよい。
【００８７】
Ｓ１２０でシート側制御部１１は、Ｓ１１０の性別判定の結果と、図９に示す芳香種類選択マップと、に基づいて、芳香装置３０に放出させる芳香の種類を決定する。
【００８８】
具体的にはシート側制御部１１は、乗員が男性であると判定した場合、第１芳香を芳香装置３０から放出させると決定する。乗員が女性であると判定した場合、第２芳香を芳香装置３０から放出させると決定する。
【００８９】
Ｓ１３０でシート側制御部１１は、芳香装置３０により検出された包込空調空間４００の不快臭の強さと、図１１に示す芳香強さ調節マップと、に基づいて、包込空調空間４００の芳香の強さの目標値としての目標芳香レベルを決定する。
【００９０】
具体的には、図１０に示すように、シート側制御部１１は、芳香装置３０により検出された不快臭の強さを示す不快臭検出レベルが大きいほど、目標芳香レベルを大きく決定する。各不快臭レベルが示す不快臭の強さ及び各目標芳香レベルが示す芳香の強さは、不快臭による乗員の不快感を芳香で改善する観点から、男女別、芳香の種類別に予め実験等により定められる。
【００９１】
Ｓ１４０でシート側制御部１１は、Ｓ１２０で決定した種類の芳香を芳香装置３０から放出させる芳香放出を開始する。具体的には、シート側制御部１１は、芳香装置３０のアクチュエータ３９を制御してカバー３６を変位させることにより、芳香剤３１、３３から決定した種類の芳香を第１吹出用ダクト７ａ内に放出させる。このときシート側制御部１１は、芳香剤３１、３３の容器開口３２Ａ、３３Ａとカバー３６の芳香放出孔３７、３８との重なりの大きさが最大となるようにアクチュエータ３９を制御する。これにより、芳香剤から第１吹出用ダクト７ａ内に放出される芳香成分の量を最大とさせる。
【００９２】
さらにＳ１４０でシート側制御部１１は、空調ユニット２０の作動モードを強吹出モードにして空調ユニット２０を作動させる。強吹出モードでは、空調ユニット２０は、最大の吹出風量で吹出口２−６から、芳香を含む空調空気を吹き出させる。この最大風量の吹き出しと、容器開口３２Ａ、３３Ａと芳香放出孔３７、３８との最大の重なりと、により、包込空調空間４００の芳香の強さが早期に目標芳香レベルに達するようにしている。
【００９３】
Ｓ１５０でシート側制御部１１は、Ｓ１２０で決定した芳香種類について芳香検出レベルが目標芳香レベルに達したか否かを判定する。Ｓ１６０で否定判定がなされた場合、Ｓ１６０を繰り返す。Ｓ１６０で肯定判定がなされた場合、Ｓ１７０に進む。
【００９４】
Ｓ１６０でシート側制御部１１は、通常モードで空調ユニット２０を作動させる。この結果、吹出風量は強吹出モード時の最大風量よりも小さくなる。
【００９５】
またＳ１６０でシート側制御部１１は、Ｓ１２０で決定した種類の芳香について芳香検出レベルが目標芳香レベルに保たれるように、芳香装置３０から放出される芳香成分の量を調整する。具体的には、芳香検出レベルと目標芳香レベルとの偏差が小さくなるように、アクチュエータ３９を制御する。
【００９６】
Ｓ１７０でシート側制御部１１は、芳香検出レベルが隣席影響レベル以上であるか否かを判定する。隣席影響レベルとは、シート１の包込空調空間４００の芳香の強さを示す指標であって、包込空調空間４００から拡散して隣のシート１の乗員に達する芳香がこの乗員の快適性に悪影響を与える指標として定義できる。隣席影響レベルは、芳香種類別に、予め実験等により定められる。
【００９７】
Ｓ１７０で肯定判定がなされると、Ｓ１８０に進む。Ｓ１７０で否定判定がなされると、Ｓ１９０に進む。
【００９８】
Ｓ１８０でシート側制御部１１は、空調ユニット２０の作動モードを強吸込モードにして空調ユニット２０を作動させる。強吸込モードでは、空調ユニット２０は、包込空調空間４００の空気を吸込口９から最大の強さで吸い込む。これにより、包込空調空間４００に含まれる芳香が、隣席を含む近くのシート１に着座している乗員によって嗅がれることを制限する。
【００９９】
Ｓ１９０でシート側制御部１１は、吸込口９からの吸い込み強さが強吸込モードよりも小さい通常モードで空調ユニット２０を作動させる。
【０１００】
Ｓ２００でシート側制御部１１は、芳香検出レベルが目標芳香レベルに保たれるように、芳香装置３０が放出する芳香成分の量を制御する。例えばシート側制御部１１は、芳香検出レベルが目標芳香レベルに近づくようにフィードバック制御する。具体的にはシート側制御部１１は、芳香検出レベルが目標芳香レベルよりも大きい場合、芳香剤から放出される芳香成分の量が小さくなるようにアクチュエータ３９を制御する。反対に芳香検出レベルが目標芳香レベルよりも小さい場合、芳香剤から放出される芳香成分の量が大きくなるようにアクチュエータ３９を制御する。
【０１０１】
Ｓ２００のフィードバック制御は、シート１に着座している乗員が降車したと判定されるまで続けられる。シート側制御部１１は、シート１に着座している乗員が降車したと判定した場合、シート別芳香制御処理を終了する。なお、シート１に着座している乗員が降車したか否かの降車判定は、例えば、着座センサによる着座が所定時間以上検出されなかった等、様々な方法により実行することができる。
【０１０２】
＜作用効果＞
以上の第１実施形態の構成では、シート空調システム１００は、シート空調用のシート１を複数備える車両に適用され、シート１ごとに設置可能なシート空調装置２００を備える。各シート空調装置２００は、空調ユニット２０と、シート側制御部１１と、を備える。
【０１０３】
空調ユニット２０は、シート１ごとに設けられた吹出口２−６から空調空気を吹き出させて、このシート１に着座している乗員を空調空気で包み込むシート空調を行う。
【０１０４】
シート側制御部１１は、空調空気へ異なる種類の芳香を供給可能な芳香装置３０に放出させる芳香の種類を、シート１に着座している乗員情報に基づいて決定する。シート側制御部１１は、この決定した種類の芳香を芳香装置３０に放出させる。
【０１０５】
この構成によれば、シート１ごとに設けられた吹出口２−６から吹き出されてこのシート１に着座している乗員を包み込む空調空気に、異なる種類の芳香を含ませることができる。よって、各シート１ひいては各シート１に着座している各乗員に対して個別に異なる芳香を提供可能となる。
【０１０６】
さらに、シート側制御部１１は、シート１に着座している乗員情報に基づいて、芳香装置３０から供給されて空調空気に含ませる芳香の種類を決定し、この決定した種類の芳香を芳香装置３０に放出させる。よって、各シート１ひいては各シート１に着座している各乗員に対して適切な芳香を提供可能となる。
【０１０７】
また、以上の第１実施形態では、乗員情報とは、シート１に着座している乗員の性別であり、シート側制御部１１は、乗員の性別に応じて芳香装置３０に異なる種類の芳香を放出させる。乗員の性別判定は、例えばシート１ごとに設けられた臭い検出装置４０により検出された乗員の臭いに基づいて行ってもよい。
【０１０８】
なお、乗員情報として、例えば乗員が大人であるか子供であるかの情報を用いてもよい。この場合、シート１に着座している乗員が大人か子供かに応じて、シート側制御部１１は、予め定めた大人用芳香或いは子供用芳香を芳香装置３０から放出させればよい。乗員が大人であるか子供であるかの判定は、例えばシート１ごとに設けられた荷重センサの検出値に基づいて判定すればよい。
【０１０９】
また、以上の第１実施形態では、芳香装置３０は、各種類の芳香について放出する芳香の強さを調整可能である。シート側制御部１１は、シート１に着座している乗員を包み込んでいる空調空気に含まれている芳香の種類及び強さ並びに不快臭の強さを、臭い検出装置４０から取得可能である。
【０１１０】
シート側制御部１１は、臭い検出装置４０により検出された不快臭の強さを示す不快臭レベルが大きいほど、乗員を包み込む空調空気に含ませる芳香の強さを示す目標芳香レベルとして大きな目標芳香レベルを決定する。
【０１１１】
そしてシート側制御部１１は、臭い検出装置４０により検出される芳香の強さを示す芳香検出レベルが目標芳香レベルとなるように、芳香装置３０に放出させる芳香の強さを制御する。
【０１１２】
この構成によれば、臭い検出装置４０により検出された不快臭が強いほど、即ち、乗員が嗅ぐ不快臭が強いほど、乗員を包み込む空調空気に含ませる芳香が強くなる。これより、乗員が嗅ぐ不快臭を芳香によりマスキング或いは低減できるために、乗員の快適性を高めることができる。
【０１１３】
また、芳香検出レベルが目標芳香レベルとなるように制御されるので、芳香に強さを適切な強さに制御することができる。これにより、各乗員に対して適切な芳香環境を提供できる。
【０１１４】
また、以上の第１実施形態では、シート側制御部１１は、芳香装置３０に芳香の放出を開始させてから芳香検出レベルが目標芳香レベルに達したと判定するまで、空調ユニット２０を強吹出モードで作動させて吹出口２−６からの吹き出し空気風量を強風量にする。その後、芳香検出レベルが目標芳香レベルに達したと判定すると、シート側制御部１１は、空調ユニット２０を通常モードで作動させて、吹き出し空気風量を強風量よりも小さくさせる。
【０１１５】
この構成によれば、乗員を包み込む空調空気に含まれる芳香の強さを、早期に目標芳香レベルまで高めることができる。
【０１１６】
また、以上の第１実施形態では、シート１ごとに、乗員を包み込む空調空気を吸い込む吸込口９が設けられている。シート側制御部１１は、シート１の包込空調空間４００の芳香の強さが、隣のシート１の乗員にまで影響を及ぼすと推定される隣席影響強さ以上であると判定した場合、芳香の強さが隣席影響強さより小さい場合と比べて空調空気を吸込口９から強く吸い込ませる。
【０１１７】
この構成によれば、シート１の乗員に対して提供される芳香が隣のシート１の乗員に対しても提供されてしまうことを制限できる。シート別に異なる芳香を、より適切に提供可能となる。
【０１１８】
（第２実施形態）
次に第２実施形態のシート空調システム１００を説明する。第２実施形態は、シート別芳香制御処理の一部が第１実施形態と異なる。以下、第２実施形態を第１実施形態との相違点を中心に説明する。
【０１１９】
図１２に第２実施形態のシート別芳香制御処理を示す。図１２において、図９の第１実施形態のフローと同じ内容のステップには同じ参照符号が付されている。よって、図１２のＳ１１０〜Ｓ１３０は第１実施形態のＳ１１０〜Ｓ１３０と同内容である。
【０１２０】
図１２に示すように第２実施形態のシート側制御部１１は、Ｓ１３０の後でＳ３１０を実行する。Ｓ３１０でシート側制御部１１は、Ｓ１３０で決定した芳香目標レベルが隣席影響レベル以上であるか否かを判定する。
【０１２１】
Ｓ３１０で肯定判定がなされるとＳ１４０に進む。Ｓ１４０でシート側制御部１１は、空調ユニット２０の作動モードを強吹出モードにして空調ユニット２０を作動させて、Ｓ１２０で決定した種類の芳香を芳香装置３０から放出させる芳香放出を開始する。
【０１２２】
Ｓ１７０でシート側制御部１１は、芳香検出レベルが隣席影響レベル以上になったか否かを判定する。シート側制御部１１は、Ｓ１７０で肯定判定がなされるまでＳ１７０を繰り返し、Ｓ１７０で肯定判定がなされるとＳ１８０に進む。なお、Ｓ１７０は、Ｓ３１０で目標芳香レベルが隣席影響レベル以上であると判定された場合に進むステップである。このため、Ｓ１４０で芳香装置３０による芳香放出を開始してからＳ１７０の判定が繰り返されている間に芳香検出レベルは隣席影響レベルに達し、Ｓ１７０で肯定判定がなされ、処理はＳ１８０に進む。
【０１２３】
Ｓ１８０でシート側制御部１１は、吸込口９を通じた空調ユニット２０による空気吸込み強さを最大の強さにする。これにより、大きな吹出風量で吹出口２〜６から芳香を含む空調空気が吹き出されている場合に、この空調空気に含まれる芳香が隣席を含む近くのシート１に着座している乗員によって嗅がれることを制限する。
【０１２４】
Ｓ１８０の次に実行されるＳ１５０でシート側制御部１１は、芳香検出レベルが目標検出レベルに達した否かを判定する。シート側制御部１１は、Ｓ１５０で肯定判定がなされるまでＳ１５０を繰り返し、Ｓ１５０で肯定判定がなされるとＳ１６０に進む。Ｓ１６０でシート側制御部１１は、通常モードで空調ユニット２０を作動させる。この結果、吹出風量は、強吹出モード時の最大風量よりも小さくなる。
【０１２５】
一方、Ｓ３１０で否定判定がなされるとＳ３２０に進む。Ｓ３２０でシート側制御部１１は、吹出風量が最大風量よりも小さくなるように、空調ユニット２０の作動モードを通常モードにして空調ユニット２０を作動させつつ、Ｓ１２０で決定した種類の芳香を芳香装置３０から放出させる芳香放出を開始する。その後、Ｓ２００に進み、でシート側制御部１１は、芳香検出レベルが目標芳香レベルに保たれるように、芳香装置３０が放出する芳香成分の量をフィードバック制御する。
【０１２６】
以上の第２実施形態では、シート側制御部１１は、目標芳香レベルが隣席影響レベル以上であると判定した場合には、芳香装置３０による芳香放出開始から芳香検出レベルが目標芳香レベルに達したと判定するまで、空調ユニット２０を強吹出モードで作動させる。そして、芳香検出レベルが目標芳香レベルに達したと判定したら、空調ユニット２０を通常モードで作動させる。
【０１２７】
一方、シート側制御部１１は、目標芳香レベルが隣席影響レベルよりも小さいと判定した場合、芳香検出レベルが目標芳香レベルに達しているか否かによらず、芳香装置３０の芳香放出開始時から空調ユニット２０を通常モードで作動させる。
【０１２８】
この構成によれば、目標芳香レベルが隣席影響レベルよりも小さい場合、即ち、目標芳香レベルが隣席影響レベルよりも大きい場合と比べて、吹き出し空気風量を大きくしないでも乗員が嗅ぐ芳香の強さを早期に引き上げられる場合に、吹き出し音を低減できる。
【０１２９】
また、以上の第２実施形態では、シート側制御部１１は、目標芳香レベルが隣席影響レベル以上であると判定して空調ユニット２０を強吹出モードで作動させている場合に、芳香検出レベルが隣席影響レベル以上になった否かを判定する。この場合に芳香検出レベルが隣席影響レベル以上になったと判定するとシート側制御部１１は、芳香検出レベルが隣席影響レベルより小さい場合と比べて空調空気を吸込口９から強く吸い込ませる。
【０１３０】
この構成によれば、芳香を含む空調空気が大きな吹出風量で吹き出されており且つ芳香検出レベルが隣席影響レベル以上である状況において、この芳香が隣のシート１に着座している乗員によって嗅がれることを制限できる。
【０１３１】
（他の実施形態）
以上、様々な実施形態を例示したが、各実施形態は様々に変形及び拡張できる。
【０１３２】
上記実施形態では、シート空調システム１００が適用される車両のシートすべてが、シート空調用のシート１である例を示した。しかし、シート空調システム１００が適用される車両は、全てのシートがシート空調用のシート１ある車両に限定されない。
【０１３３】
シート空調システム１００は、シート空調用のシート１を少なくとも２以上備える車両に適用可能である。例えば、複数のシート空調用のシート１に加えて、シート空調用のシート１ではない補助席を備えたバスや電車等の車両に、シート空調システム１００を適用可能である。この場合、シート空調システム１００は、複数のシート空調用のシート１に着座している各乗員に対して、個別に、異なる芳香を提供可能となる。
【０１３４】
上記実施形態では、シート空調用のシート１として、空調空気の吹出口２−６を備えるシートを例示した。しかし、シート空調用のシート１は、このシート１に着座している乗員に対して乗員を包み込む空調空気が提供されるシート１ならばシート１の構造は上記例に限定されない。例えば、例えば吹出口がシート１の上方の車室内壁に設けられており、この吹出口からこのシート１に着座している乗員に向けて空調空気が吹き出されることになるシート１も、シート空調用のシート１である。
【０１３５】
また、以上の実施形態では、シート空調システム１００が乗用車、バス、電車等の車両に適用された例を示した。しかし、シート空調システム１００の適用先は、車両に限定されない。シート空調システム１００は、複数のシート１を収容する空間が形成される物或いはシステムに適用可能である。例えば、シート空調システム１００は、飛行機にも適用可能である。
【０１３６】
上記実施形態では、吸込口９はシート１の台座１ｅに設けられていた。しかし吸込口９は、このシート１の乗員を包む込む空調空気を吸い込み可能ならば、他の位置に設けてもよい。例えば吸込口を、シート１の着座部１ｂに設けてもよい。
【０１３７】
上記実施形態では、空調ユニット２０は、冷房機能及び暖房機能を有した。しかし空調ユニット２０は、冷房機能及び暖房機能の何れか一方を有する構成でもよい。或いは空調ユニット２０は、冷暖房機能を有さず、吹出口から送風する機能を有する構成でもよい。
【０１３８】
上記実施形態では、芳香装置３０は、２つの芳香剤３１、３３を備え、カバー３６の変位により選択的に異なる芳香を放出可能な構成を有した。
【０１３９】
しかし芳香装置３０は、異なる芳香を選択的に放出可能ならば、如何なる構成でもよい。例えば芳香装置３０は、３つ以上の芳香剤を有する構成でもよい。芳香装置３０は、各芳香剤を収容する容器ごとに、容器開口を開閉する電磁弁を備えてもよい。
【０１４０】
上記実施形態では、芳香装置３０は第１吹出用ダクト７ａに設けられていた。しかし、芳香装置３０を他の位置に設けてもよい。例えば芳香装置３０をアームレスト１ｄに設けてもよいし、吸込用ダクト９ａに設けてもよい。芳香装置３０から放出された芳香が、シート１ごとに、最終的に乗員を包み込む空調空気へ供給されるならば、芳香装置３０を如何なる位置に設けてもよい。
【０１４１】
上記実施形態では、シート別芳香制御理を含むシート空調装置２００ごとの各種制御が、シート１ごとに設けられたＥＣＵ１０のシート側制御部１１により実行された。
【０１４２】
しかし、シート別芳香制御理を含むシート空調装置２００ごとの各種制御を実行する機能ブロックとしてのシート側制御部１１は、何れかの場所に、各シート空調装置２００の構成として設ければよい。
【０１４３】
例えば車両に設けられた一つのＥＣＵ或いは車外のサーバが、その車両の全てのシート空調装置２００について、シート別芳香制御理を含む各種制御を実行するように構成してもよい。また、シート空調装置２００ごとの構成ブロックとしてのシート側制御部１１は、一のハードウェアの機能として具現化されてもよいし、複数のハードウェアからなる分散システムの機能として具現化されてもよい。
【０１４４】
シート１に着座している乗員を包み込む空調空気に含ませる芳香の種類及び強さを、この乗員が選択可能な構成としてもよい。例えば、シート側制御部１１は、シート側ＨＭＩ５０又は携帯側ＨＭＩ３０２を通じて、空調空気に含ませる芳香の種類及び強さについての乗員指示を受け付けてもよい。そして、乗員を包み込む空調空気に含まれる芳香が乗員指示の強さとなるように、乗員指示の芳香を芳香装置３０に放出させてもよい。
【０１４５】
この場合、シート側制御部１１は、シート側ＨＭＩ５０又は携帯側ＨＭＩ３０２を通じて、乗員に対して、臭い検出装置４０により検出された乗員を包み込む空調空気に含まれる芳香の種類及び強さを表示させると好適である。このようにすると、乗員は、現在嗅いでいる芳香の種類及び強さとの対比で、好みの芳香の種類及び強さを選択可能となる。
【０１４６】
また、シート１がバスや電車等の指定席である場合、シート空調用アプリを用いて乗員が搭乗前に予め希望する芳香の種類及び強さをサーバ等に登録してもよい。この場合、シート側制御部１１は、シート側通信部１３を通じてサーバ等と通信して、乗員が希望する芳香の種類及び強さを取得できる。そして、乗員の搭乗前に、この芳香の種類及び強さで包込空調空間４００を予め香り付けてもよい。
【符号の説明】
【０１４７】
１…シート、２…吹出口、３…吹出口、４…吹出口、５…吹出口、６…吹出口、９…吸込口、１０…ＥＣＵ、１１…シート側制御部（制御部）、２０…空調ユニット、３０…芳香装置、４０…臭い検出装置
【図１】
2019098924.tif 000003
【図２】
2019098924.tif 000004
【図３】
2019098924.tif 000005
【図４】
2019098924.tif 000006
【図５】
2019098924.tif 000007
【図６】
2019098924.tif 000008
【図７】
2019098924.tif 000009
【図８】
2019098924.tif 000010
【図９】
2019098924.tif 000011
【図１０】
2019098924.tif 000012
【図１１】
2019098924.tif 000013
【図１２】
2019098924.tif 000014